【事件の表示】
　特願２０１２−２６８３７７号「遊技機」拒絶査定不服審判事件〔平成２６年６月２６日出願公開、特開２０１４−１１３２４７号〕について、次のとおり審決する。
【結　論】
　本件審判の請求は、成り立たない。
【理　由】
第１　手続の経緯の概要
　本願は、平成２４年１２月７日の出願であって、平成２５年１０月１７日付けで拒絶の理由が通知され、同年１２月１３日に意見書及び手続補正書が提出されところ、同年１２月２７日付けで拒絶査定がなされ（発送日：平成２６年１月７日）、それに対し、平成２６年４月７日に拒絶査定不服審判の請求がなされると同時に明細書及び特許請求の範囲に係る手続補正がなされたものである。
　
第２　平成２６年４月７日付けの手続補正についての補正却下の決定
［補正却下の決定の結論］
　平成２６年４月７日付けの手続補正（以下「本件補正」という。）を却下する。
　
［理由］
　１　補正の内容
　本件補正は、特許請求の範囲を補正する内容を含んでおり、本件補正により、特許請求の範囲の請求項１は、平成２５年１２月１３日に提出された手続補正書における
「遊技を制御する遊技制御手段と、
　遊技終了操作または遊技中断操作が実行されると、遊技媒体貸出機から遊技用記録媒体の排出を実行させる排出制御を行うとともに、前記遊技制御手段により制御されている遊技に応じて前記遊技媒体貸出機から排出された前記遊技用記録媒体の持ち忘れを喚起する報知制御を行う遊技用記録媒体排出実行制御手段と、
　を備えることを特徴とする遊技機。」
から、審判請求時に提出された手続補正書における
「遊技を制御する遊技制御手段と、
　遊技終了操作または遊技中断操作が実行されると、遊技媒体貸出機から遊技用記録媒体の排出を実行させる排出制御を行うとともに、
前記排出制御によって前記遊技用記録媒体の排出が完了していることを報知することによって
　を備えることを特徴とする遊技機。」
に補正された（下線は、補正箇所を明示するために審決にて付した。）。
　
　上記補正は、補正前の請求項１に記載した発明を特定するために必要な事項である報知制御に関して、遊技媒体貸出機から排出された遊技用記録媒体の持ち忘れの喚起が「
前記排出制御によって前記遊技用記録媒体の排出が完了していることを報知することによ
　
　そして、本件補正は新規事項を追加するものではない。
　
　そこで、本件補正後の特許請求の範囲の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
　
　２　独立特許要件について
　（１）刊行物に記載された発明
　　（1-1）原査定の拒絶理由において提示された、本願の出願前に頒布された刊行物である特開２００２−３５３８１号公報（以下「刊行物１」という。）には、図面と共に次の事項が記載されている（下線は審決にて付した。以下同じ。）。
　　　ア　「【０００１】
【発明の属する技術分野】本発明は、持ち玉数情報や持ち玉認識情報をカードなどの携帯型の記録媒体に記録して出玉を管理するようにしたパチンコ出玉管理システム、パチンコ遊戯台およびパチンコカードに関するものである。」
　
　　　イ　「【０００３】
【発明が解決しようとする課題】図示しない遊戯者は受け皿７に貯まったパチンコ玉を図示しない箱に移し、足元にその箱を置いて遊戯を続けるが、その箱はパチンコ店内を移動する他の客の通行のじゃまになっていた。また、その箱に入れられたパチンコ玉は、その箱に入れられている間は遊戯用に供せられることはなく、言わば遊んでいる状態に置かれることとなっていた。パチンコ店はこの遊んでいる状態になるパチンコ玉の数も見越して、予め大量のパチンコ玉を準備せねばならず、その購入コスト、管理コストは大きな負担となっていた。本発明は、これらの欠点を除くためになされたものである。」
　
　　　ウ　「【００１１】
【発明の実施の形態】以下、本発明の実施の形態について説明する。図２は本発明のパチンコ遊戯台の実施の形態を示すブロック図である。図中、細い矢印線は信号やデータの流れを示し、太い矢印線はパチンコ玉の流れを示す。
カード読み書き装置２１は
制御部２２はパチンコ遊戯台９９の制御を行なうとともに後述する集中管理システムと情報のやり取りを行なう
　
　　　エ　「【００１６】自動スイッチ３６は、それが押されることにより、制御部２２に自動モードを認識させるためのものである。自動モードでは、持玉計数部２４に記録されている持ち玉数がゼロで、センサ２がオンではない場合に、制御部２２は玉出部２６に指令を出し、所定の数のパチンコ玉を上皿部２７へ供給するとともに、カード読み書き装置２１に指令を出し、パチンコカード１００に書き込まれている購入玉数からその所定の数を減じる。
返却スイッチ３７は、それが押されることにより、制御部２２に返却モードを認識させる
　
　　　オ　「【００３３】「スピーカーで擬似音を発声（チンジャラ）」２４１の次の段階、「センサ２がＯＮ？」２４２でセンサ２（２８）がオンの場合、「玉出部から所定の玉数Ｃの玉を上皿部へ供給する」２４５の次の段階、「自動モード？」２４６の段階で自動モードではない場合、「玉出部から所定の玉数Ｄの玉を上皿部へ供給する」２４９の次の段階はいずれも「返却ＳＷ  ＯＮ？」２５０の段階へ進む。「返却ＳＷ  ＯＮ？」２５０の段階では、
パチンコ遊戯台９９に設けられた返却スイッチ３７が
押されている場合には「返却モード」３５０へ進む
押されている場合には「離席モード」３００へ進む
【００３４】図７に離席モードの動作シーケンスを示す。ここで離席モードの
離席とは
遊戯者が
遊戯台を一時的に離れること
遊戯ハンドルが稼動中でなければ
大当たりの抽選中
でなければ
入賞玉カウンター３０が
ゼロになっていれば
【００３５】「カードに持ち玉数と記入日時を記録する」３０４の段階では、パチンコカード１００の現在のパチンコ遊戯に使用されているメモリブロックの持ち玉数記録部１０９に、パチンコ遊戯台９９の持玉計数部２４に記録されている持ち玉数を記録し、記入日時記録部１１０に前記持ち玉数を持ち玉数記録部１０９に記録した日時を記録する。「集中管理システムへ遊戯台番号と持ち玉数と記入日時の情報を送る」３０５の段階では、遊戯中であったパチンコ遊戯台９９の遊戯台番号と、「カードに持ち玉数と記入日時を記録する」３０４の段階でパチンコカード１００に記録した持ち玉数と記入日時の情報を後述する集中管理システムへ送る。「カードの現在使用中ブロックの使用中フラグを１にする（使用中）」３０６の段階では、パチンコカード１００の現在のパチンコ遊戯に使用しているメモリブロックの使用中フラグ１０８のビットを立てて、そのメモリブロックが使用中であり、再度同じパチンコ遊戯台での遊戯に供されることを可能とする印をパチンコカード１００に入れる。「カードを排出する」３０７の段階で
パチンコカード１００をカード読み書き装置２１から排出し
表示部３５に「休憩中」や「食事中」などの表示を出す
　
　　　カ　「【００３９】図８に
返却モード
遊戯ハンドルが稼動中でなければ
大当たりの抽選中かどうかを判断し
なければ
入賞玉カウンター３０が
ゼロになっていれば
表示部３５に「再確認」や「本当に終了しますか？」や「確認のため、もう一度返却ＳＷを押してください」などのメッセージが出され
【００４０】「返却ＳＷ以外のＳＷがＯＮ？」３５５の段階では、返却ＳＷ３７以外のＳＷ、例えば離席ＳＷ３８が押されているかどうかを判断し、押されていれば「「再確認」の表示を消す」３５６の段階へ進み、表示部３５に出されていた「再確認」などの表示を消し、「プレイモード」２３０へ戻る。「返却ＳＷ以外のＳＷがＯＮ？」３５５の段階で返却ＳＷ３７以外のＳＷが押されていなければ、「タイマーセット」３５７の段階へ、そして「所定時間経過？」３５８の段階へ進む。「所定時間経過？」３５８の段階で予め定められた所定時間、例えば１０秒が経過していれば、「再確認」の表示を出したにもかかわらず再度返却ＳＷ３７が押されなかった、すなわち遊戯者は遊戯を終える気はないと判断して「「再確認」の表示を消す」３５６の段階へ進み、さらに「プレイモード」２３０の段階へ進む。「所定時間経過？」３５８の段階で所定時間が経過していなければ「返却ＳＷＯＮ？」３５９の段階へ進み、返却ＳＷ３７が再度押されたかどうかを判断する。押されていなければ「返却ＳＷ以外のＳＷがＯＮ？」３５５の段階へ戻る。すなわち、「返却ＳＷ以外のＳＷがＯＮ？」３５５の段階から「返却ＳＷ  ＯＮ？」３５９の段階では、
遊戯者に対して
遊戯を終える
再確認している
返却ＳＷ３７が押されている
【００４１】遊戯者の遊戯を終える意思を確認できたので、「「再確認」の表示を消す」３６０の段階で「再確認」などの表示を消し、「皿玉を計数する」３６１の段階へ進む。この段階で、図示しない玉抜きレバーを図示しない駆動装置を用いて引くことにより、上皿部２７にあるパチンコ玉を皿玉計数部２９へ送って計数し、計数した値を持玉計数部２４へ加算する。上皿部２７にパチンコ玉が残っているかどうかを観るためにはセンサ１（３３）を使用すればよい。「カードに持ち玉数と記入日時を記入する」３６２の段階では、パチンコカード１００に持玉計数部２４に記録されている持ち玉数と、持ち玉認識情報の一つであるその時点での日時を記入する。この場合、１秒単位で、あるいは０．１秒単位で記入することが望ましい。「集中管理システムへ遊戯台番号と持ち玉数と記入日時の情報を送る」３６３の段階では、パチンコカード１００が有する情報と同じ情報である遊戯台番号と持ち玉数と記入日時をパチンコ店の集中管理システムへ送る。これらの情報は例えばパチンコ店のカウンターなどにおいて、後述する集中管理システムにおけるパチンコカードの照合時に用いられる。「カードの現在使用ブロックの使用中フラグを１にする（使用中）」３６４の段階では、このパチンコ遊戯台で使用されたメモリブロックｍの使用中フラグを１にして、このメモリブロックｍが空きブロックではないことを示す情報を記入する。「カードを排出する」３６５の段階で
パチンコカード１００をカード読み書き装置２１から排出し
　
　　　キ　上記アないしカから、刊行物１には次の発明（以下「刊行物発明」という。）が記載されていると認められる。
　「カード読み書き装置２１がパチンコカード１００と制御部２２の間の情報のやり取りを行なうものであるとともに、制御部２２がパチンコ遊戯台９９の制御を行なうものにおいて、
　パチンコ遊戯台９９に設けられた返却スイッチ３７が押されている場合には返却モードに、離席スイッチ３８が押されている場合には離席モードになるものであって、
　離席モードでは、遊戯ハンドルが稼動中でなく、大当たりの抽選中でなく、かつ、入賞玉カウンター３０がゼロになっていれば、パチンコカード１００をカード読み書き装置２１から排出して、表示部３５に『休憩中』や『食事中』などの表示を出し、遊戯者が遊戯台を一時的に離れ、
　返却モードでは、遊戯ハンドルが稼動中でなく、大当たりの抽選中でなく、かつ、入賞玉カウンター３０がゼロになっていれば、表示部３５に『再確認』や『本当に終了しますか？』や『確認のため、もう一度返却ＳＷを押してください』などのメッセージを出した後、返却ＳＷ３７が押されていることが再確認されると、パチンコカード１００をカード読み書き装置２１から排出する、パチンコ遊戯台９９。」
　
　　（1-2）同じく、原査定の拒絶理由において提示された、本願の出願前に頒布された刊行物である特開２０１１−４５４０２号公報（以下「刊行物３」という。）には、図面と共に次の事項が記載されている。
　　　ア　「【特許請求の範囲】
【請求項１】
遊技域に始動口を備え、該始動口に入球すると乱数値を発生させ、該乱数値により当否を判定し、当たりと判定した場合には、遊技者に有利な大当り遊技状態を発生させる遊技機において、
　当該遊技機にて使用される遊技球の貸出料となる代金が記録されたカードを挿入可能なカードユニットと、
　該カードユニットから前記カードを排出する際に操作するための排出指示手段と、
　該カードユニットに前記カードが挿入されているか否かを判定するカード有無判定手段と、
　当該遊技機が前記大当たり遊技状態にある場合に、前記カード有無判定手段が、前記カードユニットに前記カードが挿入されていると判定すると、前記排出指示手段を操作する旨を遊技者に促す報知動作を行なう排出報知手段と
　を備えたことを特徴とする
遊技機
・・・
【請求項４】
１回の前記
大当たり状態において
カードの排出を行なうカード排出手段
　を備えたことを特徴とする請求項１から３のいずれかに記載の遊技機。」
　
　　　イ　「【００５５】
　つまり大当たり終了演出処理によれば、カードフラグが１（
ＣＲユニット５６にカードが挿入されている状態
の場合に
カード排出を報知する
処理
　
　　　ウ　「【００５８】
　排出要求報知信号を受信していない場合（Ｓ６７０：ｎｏ）は、Ｓ６８０に移行し、カード排出報知信号を受信したか否かを判定する。
カード排出報知信号とは
大当たり終了演出処理
送信される信号である
【００５９】
　つまり
カード排出報知処理によれば
カードの排出を報知する画像
を画面６ａに出力したり
　
　　　エ　上記アないしウから、刊行物３には次の技術事項が記載されていると認められる。
「大当たり状態において、ＣＲユニット５６にカードが挿入されている状態の場合に、カード排出手段によりカードの排出を行ない、カードの排出を報知する遊技機。」
　
　（２）対比
　本願補正発明と刊行物発明とを対比する（以下、刊行物発明、本願補正発明を、それぞれ「前者」、「後者」という。）。
　　　ア　前者の「パチンコ遊戯台９９の制御を行なう」「制御部２２」は、「パチンコ遊戯台９９の制御」により遊技が制御されることは、当業者にとって自明であるから、後者の「遊技を制御する遊技制御手段」に相当する。
　
　　　イ　前者の「パチンコ遊戯台９９に設けられた返却スイッチ３７が押されている場合には返却モードに」「なる」ことと、後者における「遊技終了操作」「が実行されると、遊技媒体貸出機から遊技用記録媒体の排出を実行させる排出制御を行う」「遊技用記録媒体排出実行制御手段」とを対比する。
　前者において、「返却スイッチ３７」が押されて返却モードになると、パチンコカード１００がカード読み書き装置２１から排出され、遊戯者は遊戯を終える。
　そうすると、前者の「パチンコ遊戯台９９に設けられた返却スイッチ３７が押されている場合には返却モードに」「なる」ことは、後者における「遊技終了操作」「が実行されると、遊技媒体貸出機から遊技用記録媒体の排出を実行させる排出制御を行う」「遊技用記録媒体排出実行制御手段」に相当する。
　
　　　ウ　前者の「パチンコ遊戯台９９に設けられた」「離席スイッチ３８が押されている場合には離席モードになる」ことと、後者における「遊技中断操作が実行されると、遊技媒体貸出機から遊技用記録媒体の排出を実行させる排出制御を行う」「遊技用記録媒体排出実行制御手段」とを対比する。
　前者において、「離席スイッチ３８」が押されて離席モードになると、パチンコカード１００がカード読み書き装置２１から排出され、遊戯者が遊戯台を一時的に離れる。
　そうすると、前者の「パチンコ遊戯台９９に設けられた」「離席スイッチ３８が押されている場合には離席モードになる」ことは、後者における「遊技中断操作が実行されると、遊技媒体貸出機から遊技用記録媒体の排出を実行させる排出制御を行う」「遊技用記録媒体排出実行制御手段」に相当する。
　
　　　エ　前者の「返却モードでは、遊戯ハンドルが稼動中でなく、大当たりの抽選中でなく、かつ、入賞玉カウンター３０がゼロになっていれば、表示部３５に『再確認』や『本当に終了しますか？』や『確認のため、もう一度返却ＳＷを押してください』などのメッセージを出」すことと、後者の「排出制御によって遊技用記録媒体の排出が完了していることを報知することによって遊技制御手段により制御されている遊技に応じて遊技媒体貸出機から排出された前記遊技用記録媒体の持ち忘れを喚起する報知制御を行う」こととを対比すると、両者は、報知の内容は異なるが、「報知制御を行う遊技用記録媒体排出実行制御手段」で共通する。
　
　　　オ　上記アないしエから、本願補正発明と刊行物発明とは、
「遊技を制御する遊技制御手段と、
　遊技終了操作または遊技中断操作が実行されると、遊技媒体貸出機から遊技用記録媒体の排出を実行させる排出制御を行うとともに、報知制御を行う遊技用記録媒体排出実行制御手段と、
　を備える遊技機。」の点で一致し、以下の点で相違する。
　
［相違点］
　報知制御に関して、本願補正発明では、排出制御によって遊技用記録媒体の排出が完了していることを報知することによって、遊技制御手段により制御されている遊技に応じて遊技媒体貸出機から排出された遊技用記録媒体の持ち忘れを喚起するものであるのに対し、刊行物発明では、当該本願補正発明に係る発明特定事項を具備しない点。
　
　（３）当審の判断
　上記相違点について検討する。
　遊技機の技術分野において、排出制御によって遊技用記録媒体の排出が完了していることを報知することによって遊技媒体貸出機から排出された遊技用記録媒体の持ち忘れを喚起することは、本願出願前に周知の技術事項である（例えば、特開２０１１−０５０６４８号公報の段落【０５８８】、【図４２】、特開２０１０−２４６７４６号公報の段落【０４５９】、【図３２】を参照。以下「周知の技術事項１」という。）。
　そして、刊行物発明に限らず、カードを取り扱う装置において、カードの持ち忘れを防止するために、カードの持ち忘れを防止する内容の何らかの報知制御を行うことは、銀行のＡＴＭをはじめ広く知られていることであり、また、当業者にとって自明の課題である。
　してみると、パチンコカード１００の排出を伴う刊行物発明において、カードの持ち忘れを防止するために、上記刊行物３に記載された技術事項を適用して、大当たり遊技状態でパチンコカード１００のカード読み書き装置２１からの排出を行うと共に、パチンコカード１００の排出の報知を行い、上記相違点２に係る本願補正発明の発明特定事項とすることは、当業者が容易になし得たものである。そして、その際に遊技用記録媒体の排出の報知として、上記周知の技術事項１に倣って、排出が完了していることを報知することは、当業者が適宜なし得たものである。
　
　また、本願補正発明により奏される効果は、当業者が、刊行物発明、刊行物３に記載された技術事項、及び周知の技術事項から予測し得る範囲内のものであって、格別のものではない。
　ゆえに、本願補正発明は、当業者が刊行物発明、刊行物３に記載された技術事項、及び、周知の技術事項に基づいて容易に発明をすることができたものであるから、特許法第２９条第２項の規定により、特許出願の際独立して特許を受けることができない。
　よって、本願補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、平成２５年１２月１３日付け手続補正書により補正された特許請求の範囲の請求項１に記載された次のとおりのものである。
「遊技を制御する遊技制御手段と、
　遊技終了操作または遊技中断操作が実行されると、遊技媒体貸出機から遊技用記録媒体の排出を実行させる排出制御を行うとともに、前記遊技制御手段により制御されている遊技に応じて前記遊技媒体貸出機から排出された前記遊技用記録媒体の持ち忘れを喚起する報知制御を行う遊技用記録媒体排出実行制御手段と、
　を備えることを特徴とする遊技機。」
　
　２　刊行物
　刊行物及びその記載事項、刊行物発明は、前記「第２　２」に記載したとおりである。
　
　３　対比
　本願発明は、上記「第２　１補正の内容」において検討した本願補正発明から、報知制御に関して、遊技媒体貸出機から排出された遊技用記録媒体の持ち忘れの喚起が「
前記排出制御によって前記遊技用記録媒体の排出が完了していることを報知することによ
　ここで、刊行物発明と本願発明とを対比する。
　両者は、前記「第２　２（２）対比」において検討したと同様にして、
［相違点］
　報知制御に関して、本願発明では、遊技制御手段により制御されている遊技に応じて遊技媒体貸出機から排出された遊技用記録媒体の持ち忘れを喚起するものであるのに対し、刊行物発明では、当該本願補正発明に係る発明特定事項を具備しない点。
　で相違し、その余の点で一致する。
　
　４　判断
　上記相違点については、前記「第２　２（３）イ相違点２について」において検討したとおりである。
　したがって、本願発明は、刊行物発明に刊行物３に記載された技術事項を適用することにより、当業者が容易になし得たものである。
　
　５　むすび
　以上のとおりであるから、本願発明は、特許法第２９条第２項の規定により特許を受けることができない。
　したがって、本願は、拒絶されるべきものである。
　
　よって、結論のとおり審決する。